(57)【要約】【課題】１週間という生活リズムに添った空気の汚れ検出を行ない、自動的に運転パターンを形成し、生活パターンに合わせた運転をおこなうことのできる空気清浄機を提供することを目的とする。【解決手段】本体１内に備えたガス検出部５や粉塵検出部６と、室内の明るさを検出する光検出部８により、ガス検出部５や粉塵検出部６から検出した汚れレベルにより決定される運転風量を光検出部８の検出レベルによりさらに制御して、就寝時等の夜間時に運転風量を下げて低騒音で運転できる空気清浄機を得られる。【選択図】図１
2006212541.tif 000002
【特許請求の範囲】
【請求項１】
本体に設けた吸気口と、この吸気口から吸気した汚れ空気を清浄化する浄化手段と、この浄化手段に通風する送風手段と、空気中の汚れ成分を検出する汚れ検出手段と、前記汚れ検出手段からの検出信号により前記送風手段の風量を制御する制御部を有し、前記制御部は前記汚れ検出手段からの信号を変換して汚れレベル値として時系列的に７日分記憶し、この記憶した汚れレベル値から決定される翌週の前記送風手段の風量を時系列的に制御するようにした空気清浄機。
【請求項２】
制御部は前記汚れ検出手段からの信号を変換して汚れレベル値として時系列的に７日分記憶し、この記憶した汚れレベル値と、この記憶した汚れレベルから決定される翌週の前記送風手段の風量による運転により前記汚れ検出手段から検出した汚れレベル値とを演算して翌々週の前記送風手段の風量を時系列的に制御するようにした空気清浄機。
【請求項３】
制御部は各週毎に検出した汚れレベル値を３６５日分すべて記憶してなる請求項２記載の空気清浄機。
【請求項４】
制御部は前週に記憶した汚れレベル値により決定される運転手段の風量が０となる連続時間が所定時間を越えた場合に、間欠運転する送風手段の風量を下げるようにした請求項２記載の空気清浄機。
【請求項５】
制御部は前週に記憶した汚れレベル値により決定される運転手段の風量が０となる連続時間が所定時間を越えた場合に、間欠運転の停止時間を延ばすようにした請求項２記載の空気清浄機。
【請求項６】
汚れ検出手段は粉塵検出部とガス検出部からなり、制御部は各検出部で検出し記憶した汚れレベル値を比較し、換算値の大なる汚れレベル値が粉塵検出部によるものかガス検出部によるものかを判断して、送風手段の運転パターンを変更してなる請求項２記載の空気清浄機。
【請求項７】
制御部は１年間の記憶データをもとに、季節要因により発生する空気汚れを想定して、送風手段の運転パターンを変更してなる請求項３記載の空気清浄機。
【請求項８】
制御部は７日毎のデータをもとに、通常の生活リズムから逸脱した空気汚れを検出した日に対しては記憶データの更新はおこなわない運転をするようにした請求項３記載の空気清浄機。
【請求項９】
制御部は７日毎のデータをもとに演算され時系列的に決定された風量を一時的に停止させることができる操作スイッチを設けたことを特徴とする請求項２記載の空気清浄機。
【請求項１０】
制御部は汚れ検出手段から検出される空気汚れレベル値を無効と判断することができる操作スイッチを設けたことを特徴とする請求項２記載の空気清浄機。
【発明の詳細な説明】
【技術分野】
【０００１】
本発明は、粉塵センサーおよびガスセンサーにより室内の空気汚れを検出し、制御部が送風手段を駆動して室内空気を吸い込み、浄化手段を通して清浄化する空気清浄機に関するものである。
【背景技術】
【０００２】
従来、この種の空気清浄機は下記に記載されたものが知られている。
【０００３】
以下その空気清浄機について図１２および図１３を用いて説明する。図に示すように、空気清浄機本体１０１には、前面パネル１０２が設けられ、空気を清浄化するためのフィルター１０４と、フィルター１０４に通風するモーター１０５と、このモーター１０５を運転制御する制御部１０６を備えている。また、本体１０１の側面には室内の空気汚れを検出する光学式の粉塵センサー１０７を設け、本体１０１の前面に空気の汚れを検出するガスセンサー１０８を設けている。
【０００４】
上記構成において、粉塵センサー１０７またはガスセンサー１０８が汚れを検出したとき、制御部１０６は粉塵センサー１０７またはガスセンサー１０８からの信号の大小によりファンモーター１０５の回転数を変えて通風量を変化させ、室内の汚れに対応した清浄化運転を行なっている（例えば、特許文献１参照）。
【０００５】
また、自動的に間欠運転する機能を備えたものでは間欠的にファンモーター１０５を駆動させて室内空気を呼び込み、粉塵センサー１０７やガスセンサー１０８にて雰囲気汚れを効率良く検出するものである（例えば、特許文献２参照）。
【特許文献１】特許第２７５８６５５号公報
【特許文献２】特開平１０−１２２６１５号公報
【発明の開示】
【発明が解決しようとする課題】
【０００６】
このような従来の空気清浄機では、汚れの少ない時間帯でも常に間欠的に運転を継続するので無駄な運転をするという課題があり、空気の汚れる時間帯に無駄を省いてタイミング良く運転するといった生活シーンに合った運転が要求されている。
【０００７】
また、汚れ量の多い少ないによっては無駄な運転をしすぎるという課題があり、事前に汚れ量を想定して効率良く運転することが要求されている。
【０００８】
また、１週間というリズムに対しての予測運転であっても年間を通して同じ生活リズムではないという課題があり、１年間を通した予測運転が要求されている。
【０００９】
また、空気汚れが発生しにくい日であっても、定期的に間欠運転を継続することによりクリーンな環境を維持できるが、夜中など静かな時間帯では騒音源になり得るという課題があり、空気汚れが発生しない時間帯には運転方法を変えて、省エネ・低騒音の運転とすることが要求されている。
【００１０】
また、空気汚れの種類によっては同じ運転パターンでは除去しきれないという課題があり、空気汚れの種類を判別して効率良く除去することが要求されている。
【００１１】
また、季節によっては花粉等の１次的に空気汚れが増加する時期や行事によって、空気汚れが突発的に変化することを想定した運転が要求されている。
【００１２】
また、室内の空気汚れ環境に起因する喫煙者が一時的に不在になった場合などの空気汚れ環境が良くなった場合は、従来の汚れ記憶データを保持できないという課題があり、急な環境変化に対しては一時的にデータ更新を停止することが要求されている。
【００１３】
また、室内の空気汚れ環境に起因する喫煙者が一時的に不在になった場合などの空気汚れ環境が良くなった場合は、従来の汚れ記憶データによる運転が必要ではなくなるという課題があり、急な環境変化に対しては一時的に運転を停止することが要求されている。
【００１４】
また、室内にて発生するニオイにおいては悪臭と芳香材等による良いニオイが存在するがどちらも空気汚れとして除去してしまうという課題があり、良いニオイの場合は除去しないことが要求されている。
【００１５】
本発明は、このような従来の課題を解決するものであり、１週間単位で生活習慣にそって発生する汚れのパターンを記憶して、そのパターンに従った運転をおこない、また、年間の空気汚れ状況を記憶することで季節的な空気汚れや行事に対応した運転をおこない、また、生活シーンにより汚れの発生する可能性が低い時間帯はクリーン環境を維持する運転よりも騒音を抑える運転とし、また、空気汚れの質の違いにより運転方法を変えて効率良く運転することができ、また急な環境変化に対しても応急処置ができ、また空気汚れに対して運転・停止を指定して運転することができる空気清浄機を提供することを目的としている。
【課題を解決するための手段】
【００１６】
本発明の空気清浄機は上記目的を達成するために、本体に設けた吸気口と、この吸気口から吸気した汚れ空気を清浄化する浄化手段と、この浄化手段に通風する送風手段と、空気中の汚れ成分を検出する汚れ検出手段と、前記汚れ検出手段からの検出信号により前記送風手段の風量を制御する制御部を有し、前記制御部は前記汚れ検出手段からの信号を変換して汚れレベル値として時系列的に７日分記憶し、この記憶した汚れレベル値から決定される翌週の前記送風手段の風量を時系列的に制御するようにしたものである。
【００１７】
この手段により空気汚れの日常的に繰り返すパターンを１週間単位で学習することにより生活シーンに合った運転を行なうことができる空気清浄機が得られる。
【００１８】
また、本発明の空気清浄機は上記目的を達成するために、制御部は前記汚れ検出手段からの信号を変換して汚れレベル値として時系列的に７日分記憶し、この記憶した汚れレベル値と、この記憶した汚れレベルから決定される翌週の前記送風手段の風量による運転により前記汚れ検出手段から検出した汚れレベル値とを演算して翌々週の前記送風手段の風量を時系列的に制御するようにしたものである。
【００１９】
この手段により事前に汚れ量を精度良く想定し、効率良く運転することができる空気清浄機が得られる。
【００２０】
また、本発明の空気清浄機は上記目的を達成するために、制御部は各週毎に検出した汚れレベル値を３６５日分すべて記憶するようにしたものである。
【００２１】
この手段により１週間単位で補正された汚れ記憶データを１年間の汚れ記憶データと比較してより最適な運転ができる空気清浄機が得られる。
【００２２】
また、本発明の空気清浄機は上記目的を達成するために、制御部は前週に記憶した汚れレベル値により決定される運転手段の風量が０となる連続時間が所定時間を越えた場合に、間欠運転する送風手段の風量を下げるようにしたものである。
【００２３】
この手段により空気汚れが発生しない時間帯には運転方法を変えて、省エネ・低騒音の運転とすることができる空気清浄機が得られる。
【００２４】
また、本発明の空気清浄機は上記目的を達成するために、制御部は前週に記憶した汚れレベル値により決定される運転手段の風量が０となる連続時間が所定時間を越えた場合に、間欠運転の停止時間を延ばすようにしたものである。
【００２５】
この手段により空気汚れが発生しない時間帯には運転方法を変えて、省エネ・低騒音の運転とすることができる空気清浄機が得られる。
【００２６】
また、本発明の空気清浄機は上記目的を達成するために、汚れ検出手段は粉塵検出部とガス検出部からなり、制御部は各検出部で検出し記憶した汚れレベル値を比較し、換算値の大なる汚れレベル値が粉塵検出部によるものかガス検出部によるものかを判断して、送風手段の運転パターンを変更したものである。
【００２７】
この手段により空気汚れの種類によって運転方法を変えて、効率良く除去運転することができる空気清浄機が得られる。
【００２８】
また、本発明の空気清浄機は上記目的を達成するために、制御部は１年間の記憶データをもとに、季節要因により発生する空気汚れを想定して、送風手段の運転パターンを変更したものである。
【００２９】
この手段により季節的に発生する花粉等の時期には、あらかじめ予測して運転することができる空気清浄機が得られる。
【００３０】
また、本発明の空気清浄機は上記目的を達成するために、制御部は７日毎のデータをもとに演算され時系列的に決定された汚れレベル値に対して、当日検出した汚れレベル値が３ランク以上違っていた場合には、翌週のための汚れレベル値の演算には用いないようにしたものである。
【００３１】
この手段により想定外の汚れを検出した場合には、基本の運転パターンを変えることなく次週も運転できる空気清浄機が得られる。
【００３２】
また、本発明の空気清浄機は上記目的を達成するために、制御部は７日毎のデータをもとに演算され時系列的に決定された風量を一時的に停止させることができるスイッチを設けたものである。
【００３３】
この手段によりあらかじめ想定される空気汚れ環境の変化に対してスイッチ操作することで生活パターンによる運転を中断し、通常の汚れ検知による運転ができる空気清浄機が得られる。
【００３４】
また、本発明の空気清浄機は上記目的を達成するために、制御部は汚れ検出手段から検出される空気汚れレベル値を無効と判断することができる操作スイッチを設けたものである。
【００３５】
この手段により芳香成分が放出された場合でも、汚れ検知せずにニオイを脱臭しない空気清浄機が得られる。
【発明の効果】
【００３６】
本発明によれば汚れ検出手段からの信号を変換して汚れレベル値として時系列的に７日分記憶し、この記憶した汚れレベル値に対応して運転するので、汚れが発生するタイミングを想定して運転ができるという効果のある空気清浄機を提供できる。
【００３７】
また、汚れ検出手段からの信号を変換して汚れレベル値として時系列的に７日分記憶し、この記憶した汚れレベル値と、この記憶した汚れレベルから決定される翌週の前記送風手段の風量による運転により汚れ検出手段から検出した汚れレベル値とを演算して翌々週の送風手段の風量を時系列的に制御するようにしたので、空気汚れを想定した運転で効率良く空気汚れを捕集できるように平準化した生活パターンで運転ができるという効果のある空気清浄機を提供できる。
【００３８】
また、汚れ検出手段からの信号を変換して汚れレベル値として時系列的に７日分記憶し、この記憶した汚れレベル値と、この記憶した汚れレベルから決定される翌週の前記送風手段の風量による運転により汚れ検出手段から検出した汚れレベル値とを演算して翌々週の送風手段の風量を時系列的に決定し運転するのと同時に、各汚れレベル値を３６５日分記憶していくので、翌年には前年の当日に検知した汚れレベル値から当日の運転パターンを補正することで、より生活シーンに適した運転ができるという効果のある空気清浄機を提供できる。
【００３９】
また、汚れ検出手段からの信号を変換して汚れレベル値として時系列的に７日分記憶し、この記憶した汚れレベル値と、この記憶した汚れレベルから決定される翌週の前記送風手段の風量による運転により汚れ検出手段から検出した汚れレベル値とを演算した結果、運転手段の風量が０となる連続時間が所定時間を超えた場合に、間欠運転する送風手段の風量を低下させるので、空気汚れが少ない日は余分な運転を抑制することができるという効果のある空気清浄機を提供できる。
【００４０】
また、汚れ検出手段からの信号を変換して汚れレベル値として時系列的に７日分記憶し、この記憶した汚れレベル値と、この記憶した汚れレベルから決定される翌週の前記送風手段の風量による運転により汚れ検出手段から検出した汚れレベル値とを演算した結果、運転手段の風量が０となる連続時間が所定時間を超えた場合に、間欠運転の停止時間を延ばすようにしたので、空気汚れが少ない日は余分な運転を抑制することができるという効果のある空気清浄機を提供できる。
【００４１】
また、汚れ検出手段からの信号を変換して汚れレベル値として時系列的に７日分記憶し、この記憶した汚れレベル値と、この記憶した汚れレベルから決定される翌週の前記送風手段の風量による運転により汚れ検出手段から検出した汚れレベル値とを演算した結果、記憶した汚れレベル値が粉塵検出部によるものかガス検出部によるものかを判断して、送風手段の運転パターンを変更することで、質の異なる空気汚れを効率良く清浄化できるという効果のある空気清浄機を提供できる。
【００４２】
また、１年間の汚れ記憶データをもとに、季節要因により発生する空気汚れを想定して送風手段の運転パターンを変更するので、さらに生活シーンに適した運転ができるという効果のある空気清浄機を提供できる。
【００４３】
また、７日毎の汚れ記憶データをもとに、通常の生活リズムから逸脱した空気汚れを検出した日に対しては記憶データの更新はおこなわない運転をおこなうので、記憶された運転パターンを乱さず基本の生活シーンに適した運転ができるという効果のある空気清浄機を提供できる。
【００４４】
また、７日毎のデータをもとに演算され時系列的に決定された風量をスイッチ操作によって一時的に停止することができるので、急な室内環境の変化に対しても無駄な運転を抑制できるという効果のある空気清浄機を提供できる。
【００４５】
また、汚れ検出手段から検出される空気汚れレベル値をスイッチ操作によって無効と判断することができるので、良い匂いが発生した場合でも除去運転せずに快適な環境で生活できるという効果のある空気清浄機を提供できる。
【発明を実施するための最良の形態】
【００４６】
本発明の請求項１記載の発明は、本体に設けた吸気口と、この吸気口から吸気した汚れ空気を清浄化する浄化手段と、この浄化手段に通風する送風手段と、空気中の汚れ成分を検出する汚れ検出手段と、前記汚れ検出手段からの検出信号により前記送風手段の風量を制御する制御部を有し、前記制御部は前記汚れ検出手段からの信号を変換して汚れレベル値として時系列的に７日分記憶し、この記憶した汚れレベル値から決定される翌週の前記送風手段の風量を時系列的に制御するようにしたものであり、月曜日から金曜日までの平日と土曜日日曜日の休日との生活パターンの違いをそれぞれ記憶することで休日の生活パターンにより平日の運転パターンが乱されないという作用を有する。
【００４７】
また、前記制御部は前記汚れ検出手段からの信号を変換して汚れレベル値として時系列的に７日分記憶し、この記憶した汚れレベル値と、この記憶した汚れレベルから決定される翌週の前記送風手段の風量による運転により前記汚れ検出手段から検出した汚れレベル値とを演算して翌々週の前記送風手段の風量を時系列的に制御するようにしたものであり、前週の検知汚れレベルに対して今週の同じ時間帯の検知汚れレベルが上昇すれば翌週の運転風量はさらに上昇させ、逆に前週より今週の検知汚れレベルが下降していれば翌週の運転風量は下降させ予測精度を高めて突発的な汚れがあっても平準化して運転できるという作用を有する。
【００４８】
また、前記制御部は各週毎に検出した汚れレベル値を３６５日分すべて記憶したものであり、各週毎に平準化された運転モードに対して前年の該当日の汚れレベル値が高ければ運転風量を上昇させ、逆に前年の汚れレベル値より低ければ運転風量を下降させ、より予測精度高めて運転できるという作用を有する。
【００４９】
また、前記制御部は前週に記憶した汚れレベル値により決定される運転手段の風量が０となる連続時間が所定時間を越えた場合に、間欠運転する送風手段の風量を下げるようにしたものであり、記憶している汚れレベルが０の時間帯においては汚れが発生していないため、その時間帯の間欠運転の風量を減少して騒音を下げるという作用を有する。
【００５０】
また、前記制御部は前週に記憶した汚れレベル値により決定される運転手段の風量が０となる連続時間が所定時間を越えた場合に、間欠運転の停止時間を延ばすようにしたものであり、記憶している汚れレベルが０の時間帯においては汚れが発生していないため、その時間帯の間欠運転の運転回数を減らして省エネルギーを図り、騒音発生を抑えるという作用を有する。
【００５１】
また、汚れ検出手段は粉塵検出部とガス検出部からなり、制御部は各検出部で検出記憶した汚れレベル値を比較し、換算値の大なる汚れレベル値が粉塵検出部によるものかガス検出部によるものかを判断して、送風手段の運転パターンを変更したものであり、花粉等の粉塵汚れを検出した場合は大風量で短時間運転し、アンモニア等の悪臭ガスを検出した場合は中風量で長時間運転するという作用を有する。
【００５２】
また、制御部は１年間の記憶データをもとに、季節要因により発生する空気汚れを想定して、送風手段の運転パターンを変更したものであり、花粉等の季節要素の高い空気汚れを想定して事前に大風量で運転するという作用を有する。
【００５３】
また、制御部は７日毎の記憶データをもとに、通常の生活リズムから逸脱した空気汚れを検出した日に対しては記憶データの更新はおこなわない運転をするようにしたものであり、正月等の通常の生活リズムでない場合の空気汚れに対しては汚れレベル値の更新はおこなわず、通常の生活リズムでの運転パターンに影響を受けないという作用を有する。
【００５４】
また、制御部は７日毎のデータをもとに演算され時系列的に決定された風量を一時的に停止させることができる操作スイッチを設けたものであり、通常の生活リズムで発生する空気汚れのパターンが一時的に変化する場合には、事前に操作スイッチを操作することで
時系列的に決められた運転を停止し、空気汚れを検知すれば運転するという通常運転で運転するという作用を有する。
【００５５】
また、制御部は汚れ検出手段から検出される空気汚れレベル値を無効と判断することができる操作スイッチを設けたものであり、芳香材等の良いニオイ成分を室内に放出する場合に、操作スイッチを操作しておくことで汚れ検出手段は検知せず運転をおこなわないで良いニオイを除去しないという作用を有する。
【００５６】
以下、本発明の実施の形態について図面を参照しながら説明する。
【００５７】
（実施の形態１）
図１〜図３に示すように、空気清浄機本体１は略箱形に形成され、本体１の正面にはフロントパネルを設け、本体１の側面に吸気口２を形成している。本体１内には空気を清浄化するためフィルター３と、このフィルター３に通風するファンモーター４が備えられ、本体１側面に吹出口９が設けられている。ファンモーター４の駆動により吸気口２ａ、２ｂから空気が吸い込まれ、フィルター３を通って清浄された後、吹出口９から吹き出される。
【００５８】
本体１左上部にはガスセンサー５ａを備えたガス検出部５が設けられ、本体１側面には光学式の粉塵センサー６ａを備えた粉塵検出部６が設けられている。
【００５９】
また本体１の正面上部には操作部８が設けられ、操作部８の内側に制御部７が収納され、制御部７に演算部１２を設けている。本体１の正面左端部に室内空気の汚れ状態を色変化で表す汚れ表示部１０を備えている。
【００６０】
上記構成において、電源が通電されると制御部７は２０分間隔でガス検出部５または粉塵検出部６で検出した出力信号を０〜５の汚れレベル値に変換し、各２０分間の汚れレベル値の最大値を記憶し始め、トータル７日分の５０４データを時系列に記憶する。
【００６１】
まず、初回運転を開始するために操作部８を自動運転に設定すると、基本動作としてファンモーター４を１０分間運転し、５０分間停止するサイクルを繰り返す。ガス検出部５または粉塵検出部６により空気汚れを検出すると、汚れ表示部１０が青色から赤色に変化し汚れレベルに応じた風量で運転を開始する。このときガス検出部５または粉塵検出部６の検出する汚れレベルに対するファンモーター４の送風量は図２に示す関係としている。
【００６２】
空気汚れが清浄化され汚れレベルが０になるとファンモーター４が停止するが、５０分間の停止状態が継続していると判断した場合に、制御部７は１０分間の運転と５０分間の停止サイクルを繰り返す間欠運転に再び移行する。
【００６３】
以上のような運転を行なう間に制御部７はガス検出部５または粉塵検出部６で検出した信号を０〜５の６段階の汚れレベル値に変換し、この汚れレベル値を２０分間隔の時系列データとして記憶する。なお、このときの個々の汚れレベル値は各２０分間の最高値を記憶するようにしているが、各２０分間の平均値としてもよい。
【００６４】
翌週（汚れデータ値の記憶開始から１６８時間後）は、記憶された汚れレベル値に対応する風量にて１０分ＯＮ、１０分ＯＦＦの基本間欠運転を行なう。例えば図４（イ）（ロ）に示すように、１０時から１１時の２０分毎に検出される汚れレベル値は２，２，１となり、翌週の基本間欠運転は運転風量を中、０、中、０、弱、０の１０分間隔の間欠運転となる。この基本間欠運転を行なうときも、室内の空気汚れをガス検出部５や粉塵検出部６により検出を行ない、この検出された汚れレベル値に従った風量を、基本間欠運転の風量０区間に加えることにより、図４（ハ）に示すような実動運転を行なう。この実施例では検出された汚れレベル値は各々２，１，０となる。
【００６５】
このように、前週の汚れレベルを時系列的に記憶して基本間欠運転を設定し、翌週の汚れレベル値による風量を加えて調整することで汚れを想定した送風量にて運転でき、日常の空気汚れの発生に合わせた運転とすることができる。
【００６６】
なお、本実施例では空気汚れ検出手段として粉塵検出部とガス検出部を用いているが、粉塵検出部のみで実施しても、またガス検出部のみで実施しても同様の効果を得ることができる。
【００６７】
また、本実施例で用いたガスセンサーとはアンモニアを検出するアンモニアセンサー等の気体成分を検出する半導体式センサーであり、粉塵センサーとは光学的に粉塵を検出する光学式センサーである。
【００６８】
（実施の形態２）
本実施の形態は前記実施の形態１と制御方法が異なるのみであり、同一構成のものは同一番号を付して詳しい説明は省略する。
【００６９】
図５に示すように、制御部７に設けた演算部１０は、前回まで記憶している汚れレベル値と本日検知した同一タイマ番号毎の汚れレベル値を比較し、増加していれば＋１、減少していれば−１、増減なければ±０、というように演算し、翌週の予測される汚れレベル値として記憶するものである。
【００７０】
上記構成において、制御部７は毎日２０分毎にガス検出部５または粉塵検出部６から検出した汚れレベル値の最大値を記憶し始め、トータル１６８時間分を時系列的に記憶している。演算部は例えば前回記憶した汚れレベル値が１とし、今回の同一タイマ番号で検出した汚れレベル値が２とすると、演算部１０は次回に予測される汚れレベル値を２と設定して制御部７の記憶部７ａで記憶する。また前回記憶した汚れレベル値が３とし、今回の同一タイマ番号で検出した汚れレベル値が１とすると、演算部１０は次回の汚れレベル値を２と設定して順次記憶する。
【００７１】
このように、継続的に汚れレベルを演算して次回の運転風量を決定することで、突発的な汚れが発生した場合でも次の日はその影響を受けることが少なく、日常生活で生じる空気汚れの状態に対応する安定した清浄運転を行なうことができる。
【００７２】
（実施の形態３）
本実施の形態は前記実施の形態１あるいは２と制御方法が異なるのみであり、同一構成のものは同一番号を付して詳しい説明は省略する。
【００７３】
図６に示すように、制御部７は検出した２０分毎の汚れレベル値を３６５日分すべて記憶しており、前回の記憶レベル値と前年の記憶レベル値を比較し増加していれば＋１、減少していれば−１、増減なければ±０、というように演算し、本日の予測される汚れレベル値として記憶するものである。
【００７４】
上記構成において、例えば図５の（イ）（ロ）に示すように２２時から２３時の２０分毎に検出される汚れレベル値は５，２，１となり、翌週の基本間欠運転は運転風量を強（１０分）、０、中（１０分）、０、弱（１０分）、０の１０分間隔の間欠運転となるが、図６の（ハ）に示すように、前年の記憶汚れレベル値が４，１，３の場合は、運転風量を中（２０分）、０、弱（１５分）、０、中（１０分）、０の間欠運転となるようにしている。
【００７５】
このように、継続的に汚れレベルを演算して次回の運転風量を決定することだけでなく、さらに前年の汚れレベルも演算して次回の風量を決定することで、季節的な要因による空気汚れの発生や時期的な行事による空気汚れの発生等を予測した清浄運転を行なうことができる。
【００７６】
（実施の形態４）
本実施の形態は前記実施の形態１あるいは２と制御方法が異なるのみであり、同一構成のものは同一番号を付して詳しい説明は省略する。
【００７７】
図７（イ）（ロ）に示すように、留守等の不在時はガス検出部５と粉塵検出部６のいずれも空気汚れが検出されない時間帯であるので、その間は一定間隔（１０分ＯＮ、５０分ＯＦＦ）の間欠運転により運転を継続させるが、その時間帯の汚れレベル値が２時間連続して０となる場合は、制御部７は間欠運転の運転時間１０分を変えず、停止時間を５０分から１１０分に延ばす運転に変更する。
【００７８】
このように、空気汚れ検出の無い時間帯が連続する場合には、間欠運転の停止時間を延ばすことにより、無駄な送風運転を減らした省エネ運転とすることができ、騒音を低減することができる。
【００７９】
次に汚れレベル値が４時間連続して０となる場合は、制御部７は図６（ハ）のように間欠運転の運転風量を減少させるようにする。
【００８０】
このように、汚れ検出が無い時間帯が長時間続く場合は間欠運転の運転風量を減少させ、本実施例では最低風量とすることで運転騒音を大幅に下げることができる。また、図６（ハ）のように間欠運転の停止時間を延ばすとともに送風時間を１０分から５分に短縮することにより、さらなる省エネ・騒音低減を図ることができる。
【００８１】
（実施の形態５）
本実施の形態は前記実施の形態１あるいは２と制御方法が異なるのみであり、同一構成のものは同一番号を付して詳しい説明は省略する。
【００８２】
図８（イ）（ロ）（ハ）のように、検出された空気汚れの最大値がガス検出部５による場合は、運転パターンを標準パターンとは異なるガス対応パターンとする。すなわち運転風量は検出レベルに対応した風量にするが、運転時間を２倍に延長して拡散しやすく除去の難しいガス成分を時間をかけて清浄化する。また、検出された空気汚れの最大値が粉塵検出部６による場合は、運転パターンを標準パターンとは異なるガス対応パターンとする。すなわち運転風量は検出レベルに対して１ランクアップしたレベルの風量にし、運転時間を２／３に短縮して、大風量・短時間で一気に粉塵を捕集して清浄化する。
【００８３】
このように、各センサーに検出される空気汚れの検出値を判定して運転モードを変えることで汚れ成分に対応した運転を行ない、質の違う空気汚れを効率良く清浄化することができる。
【００８４】
（実施の形態６）
本実施の形態は前記実施の形態１あるいは２と制御方法が異なるのみであり、同一構成のものは同一番号を付して詳しい説明は省略する。
【００８５】
図９（イ）（ロ）のように、例えば２２時から２３時の２０分毎に検出される汚れレベル値は５，２，１となり、翌週の基本間欠運転は運転風量を強（１０分）、０、中（１０分）、０、弱（１０分）、０の１０分間隔の間欠運転となるが、図９の（ハ）に示すように、検出汚れレベル値が０，１，５の場合は、検出レベルが３ランク以上違う時間帯については更新しないので、翌週の運転風量を強（２０分）、０、弱（１５分）、０、弱（１０分）、０の間欠運転となるように記憶する。
【００８６】
このように、検出汚れレベル値が時系列的に決定された汚れレベル値と３ランク以上違う場合には、通常の生活パターンと違った空気汚れと判断して次週の運転パターンには反映しないので、非日常的な汚れの発生があっても影響を受けずに運転することができる。
【００８７】
（実施の形態７）
本実施の形態は前記実施の形態１あるいは２と制御方法が異なるのみであり、同一構成のものは同一番号を付して詳しい説明は省略する。
【００８８】
図１０および図１１（イ）（ロ）（ハ）のように、操作スイッチ１３を設け、生活パターンが変化する場合や汚れ検出部で検出される芳香材等の良いニオイ成分を放出させたい場合など、操作スイッチ１３を操作することで一時的に時系列運転を停止させるようにする。
【００８９】
このように、記憶汚れレベル運転を一時停止したい場合には、操作スイッチを操作することにより、無駄な送風運転を減らした省エネ運転とすることができる。
【産業上の利用可能性】
【００９０】
室内の空気汚れを時系列的に記憶して、事前に運転制御するという方法ですので、検出対象物を空気汚れから湿度や温度に置き換えることで加湿器やエアコンの運転制御にも適用できる。
【図面の簡単な説明】
【００９１】
【図１】本発明の実施の形態１の空気清浄機の一部破断の外観斜視図
【図２】同各検出部の汚れレベル値に対する運転風量の相関図
【図３】同制御ブロック図
【図４】本発明の実施の形態１のタイミングチャート
【図５】本発明の実施の形態２の記憶汚れレベルの演算実施テーブルの図
【図６】本発明の実施の形態３のタイミングチャート
【図７】本発明の実施の形態４のタイミングチャート
【図８】本発明の実施の形態５のタイミングチャート
【図９】本発明の実施の形態６のタイミングチャート
【図１０】本発明の実施の形態７のブロック図
【図１１】同タイミングチャート
【図１２】従来の空気清浄機の一部破談の外観斜視図
【図１３】同空気清浄機の間欠運転のタイミングチャート
【符号の説明】
【００９２】
１  本体
２  吸気口
３  フィルター（浄化手段）
４  ファンモーター（送風手段）
５  ガス検出部（汚れ検出手段）
６  粉塵検出部（汚れ検出手段）
７  制御部
８  操作部
【図１】
2006212541.tif 000003
【図２】
2006212541.tif 000004
【図３】
2006212541.tif 000005
【図４】
2006212541.tif 000006
【図５】
2006212541.tif 000007
【図６】
2006212541.tif 000008
【図７】
2006212541.tif 000009
【図８】
2006212541.tif 000010
【図９】
2006212541.tif 000011
【図１０】
2006212541.tif 000012
【図１１】
2006212541.tif 000013
【図１２】
2006212541.tif 000014
【図１３】
2006212541.tif 000015